(57)【要約】【課題】データ信号を記録する領域を減らすことなく、不正規の追記型情報媒体の再生を禁止するよう制御する。【解決手段】再生されたデータ信号に基づいて情報媒体におけるエラー位置を判定するエラー判定部２７と、エラー判定部２７で判定されたエラー位置の情報を含む第２のエラー情報と前記第１のエラー情報とを比較する比較部２９と、比較部２９の比較結果に基づき再生されるデータ信号を外部に出力するか否かを制御する信号処理部２３とを備え、信号処理部２３は、比較部２９における比較の結果、第１のエラー情報と第２のエラー情報とが一致する場合は、再生されるデータ信号を外部に出力することを許可し、第１のエラー情報と第２のエラー情報とが一致しない場合は、再生されるデータ信号を外部に出力することを禁止する。【選択図】図２
2009054220.tif 000002
【特許請求の範囲】
【請求項１】
情報媒体にデータ信号を記録する記録部と、
前記記録部において前記情報媒体に記録されたデータ信号を再生する再生部と、
前記再生部で再生されたデータ信号に基づいて、前記情報媒体におけるエラー位置を判定するエラー判定部と、
前記エラー判定部で判定されたエラー位置の情報を含むエラー情報を生成するエラー情報生成部とを備え、
前記記録部は、前記エラー情報生成部で生成された前記エラー情報を前記情報媒体に記録する、記録再生装置。
【請求項２】
予めエラー位置の情報を含む第１のエラー情報が記録されている情報媒体を再生可能な再生装置であって、
情報媒体に記録されているデータ信号および前記第１のエラー情報を再生する再生部と、
前記再生部で再生されたデータ信号に基づいて、前記情報媒体におけるエラー位置を判定するエラー判定部と、
前記エラー判定部で判定されたエラー位置の情報を含む第２のエラー情報と、前記第１のエラー情報とを比較する比較部と、
前記比較部の比較結果に基づき、前記再生部で再生されるデータ信号を外部に出力するか否かを制御する信号処理部とを備え、
前記信号処理部は、
前記比較部における比較の結果、前記第１のエラー情報と前記第２のエラー情報とが一致する場合は、前記再生部で再生されるデータ信号を外部に出力することを許可し、前記第１のエラー情報と前記第２のエラー情報とが一致しない場合は、前記再生部で再生されるデータ信号を外部に出力することを禁止する、再生装置。
【請求項３】
半導体記憶装置を備えたカートリッジに内蔵された情報媒体に少なくともデータ信号を記録可能な記録再生装置であって、
前記情報媒体にデータ信号を記録する第１の記録部と、
前記半導体記憶装置に各種情報を記録する第２の記録部と、
前記第１の記録部において前記情報媒体に記録されたデータ信号を再生する再生部と、
前記再生部で再生されたデータ信号に基づいて、前記情報媒体におけるエラー位置を判定するエラー判定部と、
前記エラー判定部で判定されたエラー位置の情報を含むエラー情報を生成するエラー情報生成部とを備え、
前記第２の記録部は、前記エラー情報生成部で生成された前記エラー情報を前記半導体記憶装置に記録する、記録再生装置。
【請求項４】
半導体記憶装置を備えたカートリッジに内蔵された情報媒体を再生可能な再生装置であって、
前記情報媒体に記録されているデータ信号を再生する第１の再生部と、
前記半導体記憶装置に記録されている第１のエラー情報を再生する第２の再生部と、
前記第１の再生部で再生されたデータ信号に基づいて、前記情報媒体におけるエラー位置を判定するエラー判定部と、
前記エラー判定部で判定されたエラー位置の情報を含む第２のエラー情報と、前記第２の再生部で再生された前記第１のエラー情報とを比較する比較部と、
前記比較部の比較結果に基づき、前記第１の再生部で再生されるデータ信号を外部に出力するか否かを制御する信号処理部とを備え、
前記信号処理部は、
前記比較部における比較の結果、前記第１のエラー情報と前記第２のエラー情報とが一致する場合は、前記第１の再生部で再生されるデータ信号を外部に出力することを許可し、前記第１のエラー情報と前記第２のエラー情報とが一致しない場合は、前記第１の再生部で再生されるデータ信号を外部に出力することを禁止する、再生装置。
【請求項５】
データ信号を記録可能なデータ記録領域と、
当該情報媒体においてエラーが発生している位置の情報を含むエラー情報を記録可能なエラー情報記録領域とを備えた、情報媒体。
【請求項６】
少なくともデータ信号を記録可能な情報媒体と、各種情報を記憶可能な半導体記憶装置とを備えたカートリッジであって、
前記半導体記憶装置は、前記情報媒体におけるエラー発生位置の情報を含むエラー情報を記憶可能である、カートリッジ。
【発明の詳細な説明】
【技術分野】
【０００１】
本発明は、磁気テープやディスク状媒体などの情報媒体に各種情報を記録可能な記録再生装置に関する。また、磁気テープやディスク状媒体などの情報媒体に記録された情報を再生可能な再生装置に関する。特に、情報の書き換えが禁止されている磁気テープやディスク状媒体などの情報媒体の情報が改竄されることを検出することができる記録再生装置および再生装置に関する。また、情報の改竄を検出するのに使用されるエラー情報を記録可能な情報媒体に関する。また、情報の改竄を検出するのに使用されるエラー情報を記録可能な半導体記憶装置を備えたカートリッジに関する。
【背景技術】
【０００２】
近年、記録した情報を書き換えたり削除したりすることができない追記型磁気テープの開発が進んでいる。このような追記型磁気テープでは、一度記録されたデータ信号を第三者によって改竄されないように管理する必要がある。情報の改竄を防止する手段としては、例えば特許文献１に開示されているように、コンテンツのコピー回数を管理するコピー制御管理情報を記録媒体に記録するものがある。
【特許文献１】特開２００１−２２９６１２号公報
【発明の開示】
【発明が解決しようとする課題】
【０００３】
しかしながら特許文献１に開示されている構成では、コピー制御管理情報を情報媒体に記録しなければならず、データ信号を記録するための領域が少なくなってしまう。
【０００４】
本発明の目的は、データ信号を記録する領域を減らすことなく、不正規の追記型情報媒体の再生を禁止するよう制御することができる記録再生装置、再生装置に関する。また、不正規にデータ信号が改竄された場合に再生が禁止される情報媒体、およびそのような情報媒体を備えたカートリッジを提供することである。
【課題を解決するための手段】
【０００５】
本発明の記録再生装置の第１の構成は、情報媒体にデータ信号を記録する記録部と、前記記録部において前記情報媒体に記録されたデータ信号を再生する再生部と、前記再生部で再生されたデータ信号に基づいて、前記情報媒体におけるエラー位置を判定するエラー判定部と、前記エラー判定部で判定されたエラー位置の情報を含むエラー情報を生成するエラー情報生成部とを備え、前記記録部は、前記エラー情報生成部で生成された前記エラー情報を前記情報媒体に記録するものである。
【０００６】
本発明の再生装置の第１の構成は、予めエラー位置の情報を含む第１のエラー情報が記録されている情報媒体のデータ信号を再生可能な再生装置であって、情報媒体に記録されているデータ信号および前記第１のエラー情報を再生する再生部と、前記再生部で再生されたデータ信号に基づいて、前記情報媒体におけるエラー位置を判定するエラー判定部と、前記エラー判定部で判定されたエラー位置の情報を含む第２のエラー情報と、前記第１のエラー情報とを比較する比較部と、前記比較部の比較結果に基づき、前記再生部で再生されるデータ信号を外部に出力するか否かを制御する信号処理部とを備え、前記信号処理部は、前記比較部における比較の結果、前記第１のエラー情報と前記第２のエラー情報とが一致する場合は、前記再生部で再生されるデータ信号を外部に出力することを許可し、前記第１のエラー情報と前記第２のエラー情報とが一致しない場合は、前記再生部で再生されるデータ信号を外部に出力することを禁止するものである。
【０００７】
本発明の記録再生装置の第２の構成は、半導体記憶装置を備えたカートリッジに内蔵された情報媒体に少なくともデータ信号を記録可能な記録再生装置であって、前記情報媒体にデータ信号を記録する第１の記録部と、前記半導体記憶装置に各種情報を記録する第２の記録部と、前記第１の記録部において前記情報媒体に記録されたデータ信号を再生する再生部と、前記再生部で再生されたデータ信号に基づいて、前記情報媒体におけるエラー位置を判定するエラー判定部と、前記エラー判定部で判定されたエラー位置の情報を含むエラー情報を生成するエラー情報生成部とを備え、前記第２の記録部は、前記エラー情報生成部で生成された前記エラー情報を前記半導体記憶装置に記録するものである。
【０００８】
本発明の再生装置の第２の構成は、半導体記憶装置を備えたカートリッジに内蔵された情報媒体を再生可能な再生装置であって、前記情報媒体に記録されているデータ信号を再生する第１の再生部と、前記半導体記憶装置に記録されている第１のエラー情報を再生する第２の再生部と、前記第１の再生部で再生されたデータ信号に基づいて、前記情報媒体におけるエラー位置を判定するエラー判定部と、前記エラー判定部で判定されたエラー位置の情報を含む第２のエラー情報と、前記第２の再生部で再生された前記第１のエラー情報とを比較する比較部と、前記比較部の比較結果に基づき、前記第１の再生部で再生されるデータ信号を外部に出力するか否かを制御する信号処理部とを備え、前記信号処理部は、前記比較部における比較の結果、前記第１のエラー情報と前記第２のエラー情報とが一致する場合は、前記第１の再生部で再生されるデータ信号を外部に出力することを許可し、前記第１のエラー情報と前記第２のエラー情報とが一致しない場合は、前記第１の再生部で再生されるデータ信号を外部に出力することを禁止するものである。
【０００９】
本発明の情報媒体は、データ信号を記録可能なデータ記録領域と、当該情報媒体においてエラーが発生している位置の情報を含むエラー情報を記録可能なエラー情報記録領域とを備えたものである。
【００１０】
本発明のカートリッジは、少なくともデータ信号を記録可能な情報媒体と、各種情報を記憶可能な半導体記憶装置とを備えたカートリッジであって、前記半導体記憶装置は、前記情報媒体におけるエラー発生位置の情報を含むエラー情報を記憶可能なものである。
【発明の効果】
【００１１】
本発明によれば、データ信号を記録する領域を減らすことなく、データが改竄された追記型情報媒体の再生を禁止するよう制御することができる。
【発明を実施するための最良の形態】
【００１２】
（実施の形態１）
〔１．記録再生装置の構成及び動作〕
図１は、実施の形態１における記録再生装置の構成を示す。本実施の形態では、記録再生装置は、磁気テープを製造する装置に搭載されることとする。また、本実施の形態では、磁気テープを情報媒体の一例として挙げて説明する。
【００１３】
図１において、信号生成部１１は、磁気テープに記録するためのデータ信号を生成する。記録制御部１２は、磁気ヘッド１３の動作を制御して、信号生成部１１で生成されたデータ信号を磁気テープに記録するよう制御する。再生制御部１４は、磁気ヘッド１３の動作を制御して、磁気テープに記録されたデータ信号を再生する。エラー判定部１５は、再生制御部１４で再生されたデータ信号に基づいて、磁気テープにおけるエラーが生じている位置（アドレス）を判定する。エラーマップ生成部１６は、エラー判定部１５で判定されたエラーの位置に基づき、エラーマップを生成する。エラーマップは、例えばエラーが発生している磁気テープ上のアドレスの一覧で構成されている。
【００１４】
ここで、図２は、磁気テープ３１において発生しているエラーの状態を模式的に示したものである。エラー判定部１５で判定可能なエラーは、磁気テープ３１に刻みつけられて永久的に消えないハードウェアエラー３２と、磁気テープ３１にデータ信号を記録する際に一時的に生じるソフトウェアエラー３３とがある。ハードウェアエラー３２は、磁気テープ３１にデータ信号を何回記録しても同一位置（アドレス）に生じるエラーであり、本特許出願時における技術ではハードウェアエラーが発生しない磁気テープは作製が極めて困難である。また、ソフトウェアエラー３３は、磁気テープ３１にデータ信号を記録する度に発生位置が異なる。また、エラーマップ生成部１６で生成されるエラーマップは、ハードウェアエラーが発生しているアドレス情報と、ソフトウェアエラーが発生しているアドレス情報とを含む。また、図中の矢印は、磁気テープ３１の走行方向の一例である。
【００１５】
また、記録制御部１２、磁気ヘッド１３は、記録部の一例である。また、再生制御部１４、磁気ヘッド１３は、再生部の一例である。エラーマップ生成部１６は、エラー情報生成部の一例である。
【００１６】
以下、動作について説明する。図３は、記録再生装置によってデータ信号を記録する動作を示すフローチャートである。
【００１７】
まず、記録制御部１２は、磁気ヘッド１３が動作するよう制御して、信号生成部１１で生成されたデータ信号を磁気テープに記録する。この時、磁気テープの全長及び全トラックにデータ信号を記録するよう制御する（Ｓ１１）。
【００１８】
次に、再生制御部１４は、磁気ヘッド１３が動作するよう制御して、磁気テープに記録されたデータ信号を再生する。この時、磁気テープの全長及び全トラックに記録されたデータ信号を再生する。再生されたデータ信号は、エラー判定部１５に送られる（Ｓ１２）。
【００１９】
エラー判定部１５は、再生制御部１４から送られるデータ信号に基づき、磁気テープ上においてエラーが生じている位置を検出する（Ｓ１３、Ｓ１４）。この時に検出されるエラー発生位置は、ハードウェアエラーとソフトウェアエラーとを含むが、１回目のエラー判定処理においてはエラーの種類を特定することはできない。したがって、本実施の形態では、Ｓ１１〜Ｓ１４に示すエラー判定処理を１回だけでなく、所定回数実行している（Ｓ１５）。したがって、２回目のエラー判定処理を行うために、再度磁気テープにデータ信号を記録し（Ｓ１１）、記録したデータ信号を再生する（Ｓ１２）。
【００２０】
次に、１回目にデータ信号を記録した際に検出したエラー発生位置と、２回目にデータ信号を記録した際に検出したエラー発生位置とを比較し、同一位置に発生しているエラーをハードウェアエラー（Ｈ１）と判定する（Ｓ１３）。また、１回目にデータ信号を記録した際に検出したエラー発生位置と、２回目にデータ信号を記録した際に検出したエラー発生位置とが異なる場合は、そのエラー発生位置をソフトウェアエラー（Ｓ１）と判定する（Ｓ１４）。
【００２１】
次に、Ｓ１１〜Ｓ１４に示すエラー判定処理が所定回数（本実施の形態では３回）実行されれば、エラーマップ生成部１６はエラーマップ（エラー情報）を生成する。生成されるエラーマップには、磁気テープにおいて発生したハードウェアエラーとソフトウェアエラーのアドレス情報を含んでいる。また、エラーマップに書き込まれるソフトウェアエラーのアドレス情報は、所定回数のエラー判定処理のうちの最後（本実施の形態では３回目）のエラー判定処理において判定されたソフトウェアエラーのアドレス情報である（Ｓ１６）。
【００２２】
次に、記録制御部１２は、磁気ヘッド１３が動作するよう制御して、エラーマップ生成部１６で生成されたエラーマップを磁気テープに記録する（Ｓ１７）。この時、エラーマップは、磁気テープにおける所定のエラー情報記録エリア３４（図２）に記録される。このエラー情報記録エリア３４は、データ信号の記録に影響がない部分に形成され、本実施の形態では磁気テープのＢＯＴ（Beginning Of Tape）部分に形成した。ＢＯＴ部分などデータ信号の記憶に影響がない部分にエラー情報記録エリア３４を形成することで、磁気テープにおける記録容量を減らさなくて済む。
【００２３】
〔２．再生装置の構成及び動作〕
図４は、エラーマップが予め記録されている磁気テープに記録されているデータを再生可能な再生装置の構成を示す。図４に示す再生装置は、例えば一般ユーザーにおいて利用可能なテープドライブに搭載される。磁気ヘッド２１は、少なくとも磁気テープに記録されたデータ信号を再生することができる。再生制御部２２は、制御部２６からの命令により磁気ヘッド２１が再生動作を行うように制御するものである。信号処理部２３は、再生制御部２２で再生されたデータを、出力端子２４側に出力するか否かを制御する。操作部２５は、ユーザーによる少なくとも再生命令を受け付けることができる。制御部２６は、操作部２５が再生命令を受け付けると再生制御部２２に対して再生命令を出力する。エラー判定部２７は、再生制御部２２で再生されたデータ信号に基づいて、磁気テープにおけるエラーの発生位置を判定する。エラーマップ管理部２８は、再生制御部２２で再生されたエラーマップを一時的に保持する。比較部２９は、エラー判定部２７において判定されたエラー発生位置と、エラーマップ管理部２８で保持されているエラーマップに含まれているエラー発生位置とを比較する。
【００２４】
以下、動作について説明する。図５は、再生装置によってデータを再生する際において、データの改竄有無を判定するフローチャートである。
【００２５】
まず、磁気テープを再生装置に装着し、操作部２５がユーザーによる再生命令を受け付けると、制御部２６は再生制御部２２に再生命令を出力する。再生制御部２２は、制御部２６からの命令により、磁気ヘッド２１を再生動作させて、磁気テープに記録されているデータ信号とエラーマップを再生する。磁気テープから再生されたデータ信号は信号処理部２３に入力され、エラーマップはエラーマップ管理部２８に入力される（Ｓ２１）。
【００２６】
次に、エラーマップ管理部２８は、磁気テープから再生されたエラーマップからハードウェアエラーＨ１とソフトウェアエラーＳ１とを読み出し、比較部２９に入力する（Ｓ２２）。
【００２７】
次に、エラー判定部２７は、再生制御部２２で再生されたデータ信号に基づき、磁気テープのハードウェアエラーＨ２とソフトウェアエラーＳ２の発生位置を特定する。特定されたエラー発生位置の情報は、比較部２９に入力される（Ｓ２３、Ｓ２４）。
【００２８】
次に、比較部２９は、エラーマップ管理部２８から送られるハードウェアエラーＨ１とエラー判定部２７から送られるハードウェアエラーＨ２とを比較し（Ｓ２６）、一致していればＳ２６に進む。
【００２９】
一方、比較部２９は、ハードウェアエラーＨ１とハードウェアエラーＨ２とが不一致であれば、信号処理部２３に対してデータ信号を出力端子２４側に出力することを禁止する制御信号を送る。信号処理部２３は、比較部２９から送られる制御信号に基づき、再生制御部２２で再生されたデータ信号を出力端子２４側に出力することを禁止する（Ｓ２８）。
【００３０】
次に、比較部２９は、エラーマップ管理部２８から送られるソフトウェアエラーＳ１とエラー判定部２７から送られるソフトウェアエラーＳ２とを比較し（Ｓ２６）、一致していれば信号処理部２３に対してデータ信号を出力端子２４側に出力することを許可する制御信号を送る。信号処理部２３は、比較部２９から送られる制御信号に基づき、再生制御部２２で再生されたデータ信号を出力端子２４側に出力する（Ｓ２７）。
【００３１】
一方、比較部２９は、エラーマップ管理部２８から送られるソフトウェアエラーＳ１及びＳ２が不一致であれば、信号処理部２３に対してデータ信号を出力端子２４側に出力することを禁止する制御信号を送る。信号処理部２３は、比較部２９から送られる制御信号に基づき、再生制御部２２で再生されたデータ信号を出力端子２４側に出力することを禁止する（Ｓ２８）。
【００３２】
すなわち、テープドライブに装着された磁気テープに記録されたデータ信号が、改竄されていない正規のデータ信号である場合は、ハードウェアエラーＨ１とハードウェアエラーＨ２とは一致し、ソフトウェアエラーＳ１とソフトウェアエラーＳ２とは一致する。よって、ハードウェアエラー同士およびソフトウェアエラー同士が一致する時に再生出力を許可することにより、正規のデータのみを再生出力することができる。
【００３３】
一方、テープドライブに装着された磁気テープに記録されたデータ信号が、改竄された不正規のデータ信号である場合は、ハードウェアエラーＨ１とハードウェアエラーＨ２とは一致するが、ソフトウェアエラーＳ２はデータを不正規に記録した際に発生したエラーであるため、ソフトウェアエラーＳ１とは一致しない。よって、ソフトウェアエラーＳ１とソフトウェアエラーＳ２とが不一致であることを検出した時、その磁気テープに記録されているデータ信号は改竄されたものであると判断し、データ信号の再生出力を禁止するよう制御する。
【００３４】
また、図２において、エラー情報記録エリア３４が改竄された場合は、ハードウェアエラーＨ１とハードウェアエラーＨ２とが不一致になる。また、磁気テープを内包したカートリッジに装着された半導体メモリにエラーマップを保存する構成である場合、半導体メモリに保存されているエラーマップが改竄されたり、半導体メモリが他の半導体メモリに交換されたりした場合にも、ハードウェアエラーＨ１とハードウェアエラーＨ２とが不一致になる。このように、ハードウェアエラー同士が不一致であることを検出した時、その磁気テープはエラーマップが改竄されたものであると判断し、データ信号の再生出力を禁止する。
【００３５】
〔３．実施の形態の効果、他〕
本実施の形態によれば、追記型磁気テープに記録されたデータ信号が改竄されたことを、ハードウェアエラーまたはソフトウェアエラーに基づいて判定する構成としたことにより、簡単な構成で、データ信号の改竄を判定することができる。
【００３６】
また、ハードウェアエラーは永久的に消えないもので、ソフトウェアエラーはデータ記録毎に発生位置が異なるという特徴を利用して、データ信号の改竄を判定しているため、正確にデータ信号の改竄を判定することができる。
【００３７】
また、エラー情報記録エリア３４は、磁気テープにおいてデータ信号が記録されない部分に形成する構成としたことにより、磁気テープのデータ記録容量を減らすことなく、エラー情報を記録することができる。
【００３８】
なお、本実施の形態では、記録再生装置において生成されたエラーマップを、磁気テープのＢＯＴ部分に記録する構成としたが、少なくともデータ信号中のデータ信号に影響を与えない部分であれば、他の部分に記録する構成としてもよい。
【００３９】
また、本実施の形態における記録再生装置は、磁気テープの製造装置に搭載されるものとしたが、一般ユーザーにおいて利用可能なテープドライブに搭載してもよい。
【００４０】
また、記録再生装置は、テープドライブに搭載するのに限らず、専用の記録装置として実現することもできる。
【００４１】
（実施の形態２）
図６は、実施の形態２における記録再生装置の構成を示す。図７は、実施の形態２における再生装置の構成を示す。図６及び図７において、実施の形態１における構成と同様の構成については、同一番号を付与して詳細説明を省略する。
【００４２】
実施の形態２の記録再生装置の構成は、磁気テープ１７ａ及び半導体メモリ１７ｂ（半導体記憶装置）を備えたカートリッジ１７を取り扱うことができる構成としたものである。また、半導体メモリ１７ｂに情報を書き込むことができるメモリライター１８（第２の記録部）を備え、エラーマップ生成部１６で生成されたエラーマップは、メモリライター１８によって半導体メモリ１７ｂに書き込む構成とした。
【００４３】
また、実施の形態２の再生装置の構成は、磁気テープ１７ａ及び半導体メモリ１７ｂを備えたカートリッジ１７を取り扱うことができる構成としたものである。また、半導体メモリ１７ｂに書き込まれている情報を読み出すことができるメモリリーダー３０（第２の再生部）を備えた。メモリリーダー３０は、少なくとも半導体メモリ１７ｂに書き込まれているエラーマップを読み出すことができ、読み出されたエラーマップはエラーマップ管理部２８に保存される。以降の動作は、実施の形態１に記載した動作と同様であるため、説明は省略する。
【００４４】
以上のように本実施の形態によれば、エラーマップ生成部１６で生成されたエラーマップを半導体メモリ１７ｂに書き込む構成としたことにより、磁気テープと磁気ヘッドとの現在の相対位置にかかわらず、エラーマップを書き込みまたは読み出すことができ、使い勝手を向上させることができる。
【００４５】
なお、実施の形態１及び２において、情報媒体は磁気テープに限らず、他の形態の情報媒体であってもよい、情報媒体としては、例えば磁気ディスクや光ディスクなどのディスク状媒体などがあり、少なくともエラーマップを書き込むことができれば本発明と同様の効果を得ることができる。
【産業上の利用可能性】
【００４６】
本発明の記録再生装置は、磁気テープのエラーを検出し、検出したエラー情報を磁気テープや半導体記憶装置に記録することができる機器に有用である。また、本発明の再生装置は、磁気テープまたは半導体記憶装置に記録されているエラー情報を再生し、磁気テープの再生可否を判断する機器に有用である。
【図面の簡単な説明】
【００４７】
【図１】実施の形態１における記録再生装置の構成を示すブロック図
【図２】磁気テープにおいてエラーの発生状態を示す模式図
【図３】実施の形態１の記録再生装置のデータ記録動作を示すフローチャート
【図４】実施の形態１における再生装置の構成を示すブロック図
【図５】実施の形態１の再生装置のデータ改竄チェック動作を示すフローチャート
【図６】実施の形態２における記録再生装置の構成を示すブロック図
【図７】実施の形態２における再生装置の構成を示すブロック図
【符号の説明】
【００４８】
１１  信号生成部
１２  記録制御部
１３、２１  磁気ヘッド
１４、２２  再生制御部
１５、２７  エラー判定部
１６  エラーマップ生成部
２３  信号処理部
２４  出力端子
２８  エラーマップ管理部
２９  比較部
【図１】
2009054220.tif 000003
【図２】
2009054220.tif 000004
【図３】
2009054220.tif 000005
【図４】
2009054220.tif 000006
【図５】
2009054220.tif 000007
【図６】
2009054220.tif 000008
【図７】
2009054220.tif 000009